(57)【要約】【課題】検定試験の不合格者が次に受験すべき検定試験の選択を容易にすること。【解決手段】受験実績入力部１０７による受験結果の入力処理中に、再受験判断部１０８が不合格者に対して不合格になった試験の点数と１レベル上の試験の次の実施日までの日数から飛び合格実績マスタ１１０に格納された過去の飛び合格実績データに基づいて再受験すべきか飛び受験すべきかを判断し、判断した結果に基づいて受験計画実績マスタ１０５を更新する。【選択図】        図１
2005316713.tif 000002
【特許請求の範囲】
【請求項１】
検定試験を受験した受験者が合格したか否かの合否結果を含む受験結果を入力する受験結果入力手順と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、
前記受験結果入力手順により入力された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、
前記再受験判断手順により行われた判断の結果を表示する結果表示手順と、
をコンピュータに実行させることを特徴とする検定受験ナビゲーションプログラム。
【請求項２】
前記受験結果入力手順は、合否結果に加えて受験者の点数を受験結果として入力し、
前記合格実績読出手順は、当該検定試験の受験結果が発表された日から前記異なる検定試験の次の受験日までの期間と前記点数とを合格実績として記憶した記憶装置から読み出し、
前記再受験判断手順は、当該検定試験の受験結果が発表された日から前記異なる検定試験の次の受験日までの期間と前記点数とに基づいて前記判断を行うことを特徴とする請求項１に記載の検定受験ナビゲーションプログラム。
【請求項３】
前記合格実績読出手順は、当該検定試験の受験結果が発表された日から前記異なる検定試験の次の受験日までの期間と前記点数との相関関係を合格実績として記憶した記憶装置から読み出し、
前記再受験判断手順は、前記相関関係に基づいて前記判断を行うことを特徴とする請求項２に記載の検定受験ナビゲーションプログラム。
【請求項４】
検定試験を受験した受験者が合格したか否かの合否結果を含む受験結果をネットワークを介して端末装置から受信する受験結果受信手順と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、
前記受験結果受信手順により受信された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、
前記再受験判断手順により行われた判断の結果を前記端末装置に送信する結果送信手順と、
をコンピュータに実行させることを特徴とする検定受験ナビゲーションプログラム。
【請求項５】
検定試験を受験した受験者が合格したか否かの合否結果を含む受験結果を入力する受験結果入力手段と、
前記検定試験の不合格後の次の試験として当該検定試験とは異なる検定試験を受験して合格した受験者による当該検定試験の受験結果を該異なる検定試験についての合格実績として記憶する合格実績記憶手段と、
前記受験結果入力手段により入力された合否結果が不合格である場合に、不合格になった検定試験を受験者が再度受験すべきかあるいは前記異なる検定試験を受験すべきかの判断を受験者の受験結果と前記合格実績記憶手段に記憶された合格実績とに基づいて行う再受験判断手段と、
前記再受験判断手段により行われた判断の結果を表示する結果表示手段と、
を備えたことを特徴とする検定受験ナビゲーション装置。
【発明の詳細な説明】
【技術分野】
【０００１】
この発明は、検定試験の不合格者に対して不合格となった検定試験を再受験すべきかあるいは異なる検定試験を受験すべきかをナビゲートし、もって再受験すべきか否かの選択を容易にすることができる検定受験ナビゲーションプログラムおよび検定受験ナビゲーション装置に関するものである。
【背景技術】
【０００２】
専門学校や職業訓練学校などでは、専門知識の習得のみならず資格取得を目標としているところが多く、通常、その学校の教える内容に沿った複数の検定試験が実施される予定に基づいて、各学生の年間の受験計画を決定し、それを目標とした教育カリキュラムを設定して教育が実施される。
【０００３】
また、受験にかかる費用は、年間の受験計画に基づいて年度初めに一括して学生を通じ保護者から徴収することが一般的に行われている。そして、これらの受験計画や受験費用など学生に関する情報は、コンピュータによって管理され、学生や教官は随時これらの情報を参照できるようになっている。
【０００４】
また、予備校や進学塾などでは、学生に関する情報管理に加えて、模擬試験の偏差値などをもとにして志望校の合格確率などを提供することも行われている（例えば、特許文献１参照。）。
【０００５】
【特許文献１】登録実用新案第３０５６５９９号公報
【発明の開示】
【発明が解決しようとする課題】
【０００６】
しかしながら、専門学校や職業訓練学校などに通う学生にとっては、複数のレベルがある検定試験のうちのあるレベルの検定試験に不合格になった場合に、不合格になった試験を再受験すべきか一つ上のレベルの試験を飛び受験すべきかの判断が難しいという問題がある。
【０００７】
例えば、ワープロ４級を受験して不合格になった場合、次のワープロ４級を再受験することが考えられるが、それは計画外の受験となるため、別途受験料が発生することになる。
【０００８】
そこで、ワープロ４級は再受験することなく、ワープロ３級を飛び受験することによって余分な受験料の負担をなくすことが考えられる。しかしながら、ワープロ３級を飛び受験して不合格となった場合には、結局ワープロ４級を再受験するなどさらに余分な受験料が発生する場合もあり、不合格者が次の検定試験としてワープロ３級またはワープロ４級のいずれかを選択することが困難であるという問題がある。
【０００９】
この発明は、上述した従来技術による問題点を解消するためになされたものであり、検定試験の不合格者に対して不合格となった検定試験を再受験すべきかあるいは異なる検定試験を受験すべきかをナビゲートし、もって再受験すべきか否かの選択を容易することができる検定受験ナビゲーションプログラムおよび検定受験ナビゲーション装置を提供することを目的とする。
【課題を解決するための手段】
【００１０】
上述した課題を解決し、目的を達成するため、本発明は、検定試験を受験した受験者が合格したか否かの合否結果を含む受験結果を入力する受験結果入力手順と、前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、前記受験結果入力手順により入力された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、前記再受験判断手順により行われた判断の結果を表示する結果表示手順と、をコンピュータに実行させることを特徴とする。
【００１１】
また、本発明は、検定試験を受験した受験者が合格したか否かの合否結果を含む受験結果を入力する受験結果入力手段と、前記検定試験の不合格後の次の試験として当該検定試験とは異なる検定試験を受験して合格した受験者による当該検定試験の受験結果を該異なる検定試験についての合格実績として記憶する合格実績記憶手段と、前記受験結果入力手段により入力された合否結果が不合格である場合に、不合格になった検定試験を受験者が再度受験すべきかあるいは前記異なる検定試験を受験すべきかの判断を受験者の受験結果と前記合格実績記憶手段に記憶された合格実績とに基づいて行う再受験判断手段と、前記再受験判断手段により行われた判断の結果を表示する結果表示手段と、を備えたことを特徴とする。
【００１２】
かかる発明によれば、検定試験を受験した受験者が合格したか否かの合否結果を含む受験結果を入力し、検定試験の不合格後の次の試験として当該検定試験とは異なる検定試験を受験して合格した受験者による当該検定試験の受験結果を異なる検定試験についての合格実績として記憶する記憶装置から読み出し、入力した合否結果が不合格である場合に、不合格になった検定試験を受験者が再度受験すべきかあるいは異なる検定試験を受験すべきかの判断を受験者の受験結果と記憶装置から読み出した合格実績とに基づいて行い、判断の結果を表示するよう構成したので、検定試験の不合格者に対して不合格となった検定試験を再受験すべきかあるいは異なる検定試験を受験すべきかをナビゲートすることができる。
【００１３】
また、本発明は、検定試験を受験した受験者が合格したか否かの合否結果を含む受験結果をネットワークを介して端末装置から受信する受験結果受信手順と、前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、前記受験結果受信手順により受信された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、前記再受験判断手順により行われた判断の結果を前記端末装置に送信する結果送信手順と、をコンピュータに実行させることを特徴とする。
【００１４】
この発明によれば、検定試験を受験した受験者が合格したか否かの合否結果を含む受験結果をネットワークを介して端末装置から受信し、検定試験の不合格後の次の試験として当該検定試験とは異なる検定試験を受験して合格した受験者による当該検定試験の受験結果を異なる検定試験についての合格実績として記憶する記憶装置から読み出し、受信した合否結果が不合格である場合に、不合格になった検定試験を受験者が再度受験すべきかあるいは異なる検定試験を受験すべきかの判断を受験者の受験結果と記憶装置から読み出した合格実績とに基づいて行い、判断の結果を端末装置に送信するよう構成したので、検定試験の不合格者に対して不合格となった検定試験を再受験すべきかあるいは異なる検定試験を受験すべきかをナビゲートすることができる。
【発明の効果】
【００１５】
本発明によれば、検定試験の不合格者に対して不合格となった検定試験を再受験すべきかあるいは異なる検定試験を受験すべきかをナビゲートするので、再受験すべきか否かの選択を容易にすることができるという効果を奏する。
【発明を実施するための最良の形態】
【００１６】
以下に添付図面を参照して、この発明に係る検定受験ナビゲーションプログラムおよび検定受験ナビゲーション装置の好適な実施例を詳細に説明する。
【実施例】
【００１７】
まず、本実施例に係る検定受験ナビゲーションシステムのシステム構成について説明する。図１は、本実施例に係る検定受験ナビゲーションシステムのシステム構成を説明するための説明図である。
【００１８】
同図に示すように、この検定受験ナビゲーションシステムは、教官端末３０、学生端末１０および検定受験ナビゲーション装置１００がＬＡＮ５０を介して接続され、検定受験ナビゲーション装置１００はＬＡＮ５０およびインターネット４０を介して学生端末１０、保護者端末２０および教官端末３０に接続されて構成される。
【００１９】
学生端末１０は、学生が検定受験ナビゲーションシステムを利用する場合に使用するパソコンであり、保護者端末２０は、学生の保護者が検定受験ナビゲーションシステムを利用する場合に使用するパソコンである。また、教官端末３０は、教官が検定受験ナビゲーションシステムを利用する場合に使用するパソコンである。
【００２０】
なお、ここでは説明の便宜上、２台の学生端末１０および教官端末３０、ならびに１台の保護者端末２０のみを示したが、この検定受験ナビゲーションシステムは多数の学生端末１０、保護者端末２０および教官端末３０から構成される。また、学生端末１０と保護者端末２０とが同一パソコンである場合もある。
【００２１】
検定受験ナビゲーション装置１００は、検定マスタ１０１と、実施日マスタ１０２と、年次・クラスマスタ１０３と、学生マスタ１０４と、受験計画実績マスタ１０５と、受験計画設定部１０６と、受験実績入力部１０７と、再受験判断部１０８と、飛び合格処理部１０９と、飛び合格実績マスタ１１０と、入金情報入力部１１１と、学生照会処理部１１２と、保護者照会処理部１１３と、教官照会処理部１１４とを有する。
【００２２】
検定マスタ１０１は、各種検定試験についての情報を記憶した記憶部である。図２は、検定マスタ１０１の一例を示す図である。同図に示すように、この検定マスタ１０１には、検定試験のコードを示す検定ＣＤ、検定試験のレベルを示す級ＣＤ、検定試験の名称を示す検定名、検定試験の受験料金を示す受験料などの情報が検定試験ごとに記憶される。
【００２３】
実施日マスタ１０２は、検定試験の実施日についての情報を記憶した記憶部である。図３は、実施日マスタ１０２の一例を示す図である。同図に示すように、この実施日マスタ１０２には、検定試験が実施される日を示す実施日、検定ＣＤなどの情報が実施日ごとに記憶される。
【００２４】
年次・クラスマスタ１０３は、学生の所属する年次・クラスについての情報を記憶した記憶部である。図４は、年次・クラスマスタ１０３の一例を示す図である。同図に示すように、この年次・クラスマスタ１０３には、年次、クラスおよびクラス名称の情報がクラスごとに記憶される。
【００２５】
学生マスタ１０４は、学生についての情報を記憶した記憶部である。図５は、学生マスタ１０４の一例を示す図である。同図に示すように、この学生マスタ１０４には、学生の年次、クラス、学生を識別する番号、氏名、受験料入金額などの情報が学生ごとに記憶される。
【００２６】
受験計画実績マスタ１０５は、各学生の１年間の検定試験受験計画を記憶した記憶部である。図６は、受験計画実績マスタ１０５の一例を示す図である。同図に示すように、この受験計画実績マスタ１０５には、学生ごとに、年次、クラス、番号、実施日、検定ＣＤ、級ＣＤ、受験料、受験、点数、合否、前回点数、日数、変更依頼などの情報が記憶される。
【００２７】
ここで、受験についての情報としては、「１」が受験予定を示し、「２」が受験済を示し、「３」が欠席を示し、「４」が非受験を示し、「５」は削除を示す。また、前回点数、日数および変更依頼については後述する。
【００２８】
受験計画設定部１０６は、検定マスタ１０１、実施日マスタ１０２および年次・クラスマスタ１０３を用いて、学生ごとの年間受験計画を作成し、受験計画実績マスタ１０５に格納する処理部である。
【００２９】
具体的には、この受験計画設定部１０６は、教官に対して、年間の検定試験開催予定を表示し、教官に検定試験と級と年次・クラスを指定させることによって、指定された年次・クラスの学生が指定された級の検定試験を受験する計画を作成する。
【００３０】
図７は、受験計画設定部１０６が教官端末３０に表示する受験計画設定画面の一例を示す図である。同図に示すように、この受験計画設定画面には、検定試験の実施日、検定試験を表わす科目が一覧表示され、教官が対象科目を選択して級を入力し、年次・クラスを指定して設定ボタンを押下すると、指定された年次・クラスに属する学生が入力された級の検定試験を受験する年間受験計画が作成される。
【００３１】
受験実績入力部１０７は、検定試験の試験結果を入力し、受験計画実績マスタ１０５に格納する処理部である。具体的には、この受験実績入力部１０７は、教官が指定する科目、級、年次・クラスの受験者の一覧を教官端末３０に表示し、教官からの受験者の点数入力を受け付ける。
【００３２】
また、この受験実績入力部１０７は、教官が入力した点数から受験者の合否を判定して表示するとともに、不合格者に対しては、再受験判断部１０８を用いて再受験すべきか飛び受験すべきかを判断して表示する。
【００３３】
図８は、受験実績入力部１０７が教官端末３０に表示する受験実績入力画面の一例を示す図である。同図は、教官が５月２０日に実施された日商ワープロ（４級）の試験結果を１年１組の受験者に対して入力し、設定ボタンを押下した際の受験実績入力画面を示している。
【００３４】
同図において、番号が「０３０１０６」であり、氏名が「ｅｅ」である不合格者は、再受験が必要と判断されたため、再受験の欄が「要」と表示される。一方、番号が「０３０１０９」であり、氏名が「ｈｈ」である不合格者は、飛び受験すべきと判断されたため、再受験の欄が「飛（３０日）」と表示される。ここで、「３０日」は、次の受験までの日数を示す。
【００３５】
そして、受験実績入力部１０７は、再受験の判断結果が再受験要である場合には、受験計画実績マスタ１０５の次回の「３級」の受験計画を「４級」に変更し、再受験の判断結果が飛び受験である場合には、次回の「３級」の受験計画を変更することなく、今回の点数を「３級」受験に関する前回点数とし、次の受験までの日数とともに受験計画実績マスタ１０５に格納する。なお、これらの前回点数および日数の情報は、飛び受験者が合格した場合の飛び合格実績データとして再受験判断部１０８によって利用される。
【００３６】
再受験判断部１０８は、不合格者が再受験すべきか飛び受験すべきかを過去の飛び合格実績データに基づいて判断する処理部である。ここで、過去の飛び合格実績データとは、過去に飛び合格した学生の前回点数と次の受験日までの日数についてのデータである。
【００３７】
図９は、飛び合格実績データ（ワープロ３級、合格点７０点）の一例を示す図である。同図に示すように、飛び合格実績データには、氏名、受験日、点数、合否、前回点数、日数などが含まれる。ここで、日数は次の受験日までの日数である。
【００３８】
例えば、氏名が「ａａａ」である学生は、９９年８月３０日にワープロ３級の飛び受験を行って７８点で合格し、前回点数（ワープロ４級の点数）は６８点で、日数は３０日であった。
【００３９】
この過去の飛び合格実績データを用いると、図１０に示すように、前回点数と日数の関係表および回帰直線を求めることができる。図１０の関係表は、図９に示した飛び合格実績データから、前回点数と日数を抽出したものである。なお、同一日数が複数ある場合には、前回点数の低い方を採用する。
【００４０】
また、この関係表を用いて、図１０に示す回帰直線を求めることができる。すなわち、図１１に示すように、日数をｘ、前回点数をｙとし、それぞれの平均値との差をＸ、Ｙとすると、回帰直線の傾きはΣＸＹ／ΣＸ2＝−４０５／２２５０＝−０．１８となり、回帰直線はｙ−５１．６＝−０．１８（ｘ−６０）、すなわちｙ＝−０．１８ｘ＋６４．２となる。
【００４１】
再受験判断部１０８は、図１０に示した回帰直線を用いて、不合格者の点数と日数との関係が回帰直線の上に位置する場合には、飛び受験と判断し、下に位置する場合には、再受験と判断する。
【００４２】
例えば、図１２に示す点数の不合格者については、図１３に示すように、不合格者「ｈｈｈ」および「ｋｋｋ」は回帰直線の上に位置するので飛び受験と判断し、不合格者「ｉｉｉ」は回帰直線の下に位置するので再受験と判断する。なお、この例では、次の検定までの日数を６０日にしている。
【００４３】
このように、この再受験判断部１０８が過去の飛び合格実績データに基づく回帰直線を用いて不合格者の再受験を判断することによって、検定受験ナビゲーション装置１００は学生の検定試験の受験をナビゲーションすることができる。
【００４４】
飛び合格処理部１０９は、教官によって入力された試験結果のなかに飛び受験の合格者があった場合に、その合格者の情報を飛び合格実績データとして飛び合格実績マスタ１１０に追加する処理部である。また、この飛び合格処理部１０９は、合格実績マスタ１１０が変更された場合に、図１０に示した前回点数と日数との関係表および回帰直線を更新する。
【００４５】
飛び合格実績マスタ１１０は、図９に示した飛び合格実績データを記憶する記憶部である。また、この飛び合格実績マスタ１１０は、図１０に示した前回点数と日数との関係表および回帰直線を記憶する。再受験判断部１０８は、この飛び合格実績マスタ１１０が記憶する回帰直線を用いて不合格者が再受験すべきか飛び受験すべきかを判断する。
【００４６】
入金情報入力部１１１は、学生や保護者から入金された受験料についての情報の入力処理を行う処理部であり、受験料の入金情報を受け付け、学生マスタ１０４に格納する。また、この入金情報入力部１１１は、再受験などで発生した追加受験料に関する入金情報を受け付け、学生マスタ１０４のデータを更新する。
【００４７】
学生照会処理部１１２は、学生からの受験予定や受験実績の照会要求を処理する処理部であり、受験計画実績マスタ１０５に格納された情報を用いて学生用受験予定実績照会画面を学生端末１０に出力する。
【００４８】
また、この学生照会処理部１１２は、学生から受験予定の変更などを受け付け、受験計画実績マスタ１０５の変更依頼欄を記録する。受験計画実績マスタ１０５の変更依頼欄に記録される内容は、図６に示したように、「１」が受験しない、「２」が受験する、「３」が降級する、である。
【００４９】
図１４は、学生用受験予定実績照会画面の一例を示す図である。同図に示すように、この学生用受験予定実績照会画面には、照会を要求した学生の受験実績および受験予定などが表示される。また、学生は、この学生用受験予定実績照会画面から受験予定を変更することができる。
【００５０】
保護者照会処理部１１３は、保護者からの受験料などの照会要求を処理する処理部であり、受験計画実績マスタ１０５に格納された情報を用いて保護者用受験予定実績照会画面を保護者端末１０に出力する。
【００５１】
図１５は、保護者用受験予定実績照会画面の一例を示す図である。同図に示すように、この保護者用受験予定実績照会画面には、照会を要求した保護者に対応する学生の受験実績、受験予定、受験料の入金状況などが表示される。
【００５２】
教官照会処理部１１４は、教官からの各学生についての受験予定や受験実績の照会要求を処理する処理部であり、受験計画実績マスタ１０５に格納された情報を用いて教官用受験予定実績照会画面を教官端末１０に出力する。
【００５３】
また、この教官照会処理部１１４は、学生が行った受験予定の変更に対して教官が行った変更可否を受け付け、変更可である場合には受験計画実績マスタ１０５の情報を変更する。その他、この教官照会処理部１１４は、教官と学生が相談して受験予定の追加や削除を行う場合に、受験予定の追加や削除要求を受け付けて受験計画実績マスタ１０５の情報を変更する。
【００５４】
図１６は、教官用受験予定実績照会画面の一例を示す図である。同図に示すように、この教官用受験予定実績照会画面には、教官が照会を要求した学生の受験実績および受験予定などが表示される。また、教官は、この教官用受験予定実績照会画面から学生の変更依頼に対する可否の入力や、学生が受験する検定試験の追加や削除を行うことができる。
【００５５】
次に、本実施例に係る受験計画設定処理の処理手順について説明する。図１７は、本実施例に係る受験計画設定処理の処理手順を示すフローチャートである。同図に示すように、この受験計画設定処理では、教官端末３０が受験計画設定画面を要求すると（ステップＳ１０１）、検定受験ナビゲーション装置１００の受験計画設定部１０６が実施日マスタ１０２および年次・クラスマスタ１０３の内容をワーク領域に設定し（ステップＳ１０２〜ステップＳ１０３）、設定した情報を用いて受験計画設定画面を編集して教官端末３０に送信する（ステップＳ１０４）。
【００５６】
そして、教官端末３０が受験計画設定画面を表示し（ステップＳ１０５）、教官の入力を待つ。そして、教官の入力があると、教官が受験対象、級、年次・クラスを指定したか否かを判定する（ステップＳ１０６）。その結果、教官が受験対象、級、年次・クラスを指定した場合には、検定受験ナビゲーション装置１００に受験対象、級、年次・クラスを送信する。
【００５７】
すると、検定受験ナビゲーション装置１００の受験計画設定部１０６が受験対象、級、年次・クラスを受信し（ステップＳ１０７）、受信した年次・クラスに所属する学生全員に対して受験対象および級の検定試験に対する受験計画実績マスタレコードを作成して受験計画実績マスタ１０５に格納する（ステップＳ１０８）。そして、ステップＳ１０４に戻って、受験計画設定画面を教官端末３０に送信する。
【００５８】
一方、教官が受験対象、級、年次・クラスを指定しなかった場合には、教官が終了ボタンをクリックした場合であるので、教官端末３０が検定受験ナビゲーション装置１００に終了を通知し（ステップＳ１０９）、検定受験ナビゲーション装置１００が終了を受信し（ステップＳ１１０）、処理を終了する。
【００５９】
次に、本実施例に係る受験実績入力処理の処理手順について説明する。図１８は、本実施例に係る受験実績入力処理の処理手順を示すフローチャートである。同図に示すように、この受験実績入力処理では、教官端末３０が受験実績入力画面を要求すると（ステップＳ２０１）、検定受験ナビゲーション装置１００の受験実績入力部１０７が実施日マスタ１０２および年次・クラスマスタ１０３の内容をワーク領域に設定し（ステップＳ２０２〜ステップＳ２０３）、設定した情報を用いて受験実績入力画面を編集して教官端末３０に送信する（ステップＳ２０４）。
【００６０】
そして、教官端末３０が受験実績入力画面を表示し（ステップＳ２０５）、教官の入力を待つ。そして、教官からの入力があると、教官によって終了ボタンがクリックされたか否かを判定する（ステップＳ２０６）。その結果、教官によって終了ボタンがクリックされなかった場合には、教官によって実施日、科目、級、年次・クラスが指定された場合であるので、実施日、科目、級、年次・クラスを検定受験ナビゲーション装置１００に送信する（ステップＳ２０７）。
【００６１】
すると、検定受験ナビゲーション装置１００の受験実績入力部１０７が受信した実施日、科目、級、年次・クラスをキーとして受験計画実績マスタ１０５を検索して該当レコードをワーク領域に設定し（ステップＳ２０８）、設定した情報を用いて受験実績入力画面を編集して教官端末３０に送信する（ステップＳ２０９）。
【００６２】
そして、教官端末３０が受験実績入力画面を表示し（ステップＳ２１０）、教官による全員分の点数入力を受け付け（ステップＳ２１１）、受け付けた点数を検定受験ナビゲーション装置１００に送信する（ステップＳ２１２）。
【００６３】
すると、検定受験ナビゲーション装置１００の受験実績入力部１０７が受信した点数および点数に基づく合否判定結果を受験計画実績マスタ１０５に格納する（ステップＳ２１３）。
【００６４】
そして、再受験判断部１０８が不合格者に対して再受験すべきか飛び受験すべきかを飛び合格マスタ１１０に格納された回帰直線の情報に基づいて判断し、判断結果に基づいて受験計画実績マスタ１０５を更新する（ステップＳ２１４）。
【００６５】
また、飛び合格者がいる場合には、飛び合格処理部１０９が飛び合格者の情報に基づいて回帰直線を計算し、飛び合格実績マスタ１１０を更新する（ステップＳ２１５）。そして、ステップＳ２０４に戻って、受験実績入力部１０７が受験実績入力画面を教官端末３０に送信する。
【００６６】
一方、教官によって終了ボタンがクリックされた場合には（ステップＳ２０６、Ｙｅｓ）、教官端末３０が検定受験ナビゲーション装置１００に終了を通知し（ステップＳ２１６）、検定受験ナビゲーション装置１００が終了を受信し（ステップＳ２１７）、処理を終了する。
【００６７】
このように、受験実績入力処理中に、再受験判断部１０８が不合格者に対して再受験すべきか飛び受験すべきかを飛び合格マスタ１１０に格納された回帰直線の情報に基づいて判断することによって、検定試験の受験をナビゲートすることができる。
【００６８】
また、受験実績入力処理中に、飛び合格処理部１０９が飛び合格者の情報に基づいて飛び合格実績マスタ１１０を更新することによって、再受験判断部１０８が再受験判断に用いる飛び合格実績データを蓄積することができる。
【００６９】
次に、本実施例に係る学生照会処理の処理手順について説明する。図１９は、本実施例に係る学生照会処理の処理手順を示すフローチャートである。同図に示すように、この学生照会処理では、学生端末１０が学生用受験予定実績照会画面を要求すると（ステップＳ３０１）、検定受験ナビゲーション装置１００の学生照会処理部１１２が受験計画実績マスタ１０５の当該学生の内容と、直近の受験予定科目およびその実施日までの日数をワーク領域に設定し（ステップＳ３０２〜ステップＳ３０３）、設定した情報を用いて学生用受験予定実績照会画面を編集して学生端末１０に送信する（ステップＳ３０４）。
【００７０】
そして、学生端末１０が学生用受験予定実績照会画面を表示し（ステップＳ３０５）、学生の入力を待つ。そして、学生からの入力があると、学生が変更を指定したか否かを判定する（ステップＳ３０６）。その結果、学生が変更を指定した場合には、検定受験ナビゲーション装置１００に変更内容を送信する。
【００７１】
すると、検定受験ナビゲーション装置１００の学生照会処理部１１２が受信した変更内容に基づいて受験計画実績マスタレコードを検索し、受験計画実績マスタ１０５の変更依頼欄に変更依頼内容を記録する（ステップＳ３０７）。そして、ステップＳ３０４に戻って、学生用受験予定実績照会画面を学生端末１０に送信する。
【００７２】
一方、学生が変更を指定しなかった場合には、学生が終了を指定した場合であるので、学生端末１０が検定受験ナビゲーション装置１００に終了を通知し（ステップＳ３０８）、検定受験ナビゲーション装置１００が終了を受信し（ステップＳ３０９）、処理を終了する。
【００７３】
このように、学生は、検定受験ナビゲーション装置１００によりナビゲートされた受験計画などを学生用受験予定実績照会画面を用いて変更することができる。
【００７４】
次に、本実施例に係る保護者照会処理の処理手順について説明する。図２０は、本実施例に係る保護者照会処理の処理手順を示すフローチャートである。同図に示すように、この保護者照会処理では、保護者端末２０が保護者用受験予定実績照会画面を要求すると（ステップＳ４０１）、検定受験ナビゲーション装置１００の保護者照会処理部１１３が受験計画実績マスタ１０５の当該学生の内容と、学生マスタ１０４の当該学生の受験料入金額とをワーク領域に設定する（ステップＳ４０２〜ステップＳ４０３）。
【００７５】
また、受験料の現在までの消化額、今後必要な受験料を計算し、不足額がある場合には不足額を計算してワーク領域に設定するとともに、受験料が不足する検定試験を割り出し、その実施日の一定日数前を期限とする支払い依頼メッセージをワーク領域に設定する（ステップ４０４）。そして、設定した情報を用いて保護者用受験予定実績照会画面を編集して保護者端末２０に送信する（ステップＳ４０５）。
【００７６】
そして、保護者端末２０が保護者用受験予定実績照会画面を表示し（ステップＳ４０６）、保護者が表示内容を確認して終了をクリックすると、検定受験ナビゲーション装置１００に終了を通知する（ステップＳ４０７）。そして、検定受験ナビゲーション装置１００が終了を受信し（ステップＳ４０８）、処理を終了する。
【００７７】
このように、保護者は、検定受験ナビゲーション装置１００によりナビゲートされた受験計画などによって受験計画が変更になり、受験料が変更になった場合にその内容を保護者用受験予定実績照会画面を用いて確認することができる。
【００７８】
次に、本実施例に係る教官照会処理の処理手順について説明する。図２１は、本実施例に係る教官照会処理の処理手順を示すフローチャートである。同図に示すように、この教官照会処理では、教官端末３０が教官用受験予定実績照会画面を要求すると（ステップＳ５０１）、検定受験ナビゲーション装置１００の教官照会処理部１１４が受験計画実績マスタ１０５の当該学生の内容をワーク領域に設定し（ステップＳ５０２）、設定した情報を用いて教官用受験予定実績照会画面を編集して教官端末３０に送信する（ステップＳ５０３）。
【００７９】
そして、教官端末３０が教官用受験予定実績照会画面を表示し（ステップＳ５０４）、教官の指示を待つ。そして、教官が指示を入力すると、その指示が科目追加であるか否かを判定する（ステップＳ５０５）。その結果、科目追加である場合には、追加する科目について、当該学生の受験計画実績マスタレコードを作成し（ステップＳ５０６）、受験計画実績マスタ１０５を更新する。
【００８０】
一方、教官の指示が科目追加でない場合には、教官の指示が科目削除か否かを判定し（ステップＳ５０７）、科目削除である場合には、当該学生の受験計画実績マスタレコードの受験欄に科目の削除を示す”５”を設定し（ステップＳ５０８）、受験計画実績マスタ１０５を更新する。
【００８１】
また、教官の指示が科目削除でない場合には、教官の指示が変更可決か否かを判定し（ステップＳ５０９）、変更可決である場合には、当該学生の受験計画実績マスタレコードの受験欄を変更内容に変更し（ステップＳ５１０）、受験計画実績マスタ１０５を更新する。
【００８２】
また、教官の指示が変更可決でない場合には、教官の指示が変更否決か否かを判定し（ステップＳ５１１）、変更否決である場合には、当該学生の受験計画実績マスタレコードの変更依頼欄をクリア更新する（ステップＳ５１２）。
【００８３】
また、教官の指示が変更否決でない場合には、教官が終了を指示した場合であるので、教官端末３０が検定受験ナビゲーション装置１００に終了を通知し（ステップＳ５１３）、検定受験ナビゲーション装置１００が終了を受信し（ステップＳ５１４）、処理を終了する。
【００８４】
上述してきたように、本実施例では、受験実績入力処理中に、再受験判断部１０８が不合格者に対して不合格になった試験の点数と１レベル上の試験の次の実施日までの日数に基づいて再受験すべきか飛び受験すべきかを判断し、不合格者の受験をナビゲートすることとしたので、不合格者が次に受験する試験を選択する場合に、その選択を容易にすることができる。
【００８５】
なお、本実施例では、検定試験の不合格者に対して同一試験を再受験すべきか一つ上のレベルの試験を飛び受験すべきかをナビゲートする場合について説明したが、本発明はこれに限定されるものではなく、同一試験を再受験すべきか同一専門分野で異なる団体が主催する別の検定試験を受験すべきかをナビゲートするなどの場合にも同様に適用することができる。
【００８６】
また、本実施例では、不合格となった検定試験の点数と次の検定試験の実施日までの日数との相関関係に基づいて再受験すべきか一つ上のレベルの試験を飛び受験すべきかをナビゲートする場合について説明したが、本発明はこれに限定されるものではなく、例えば不合格となった検定試験の点数あるいは次の検定試験の実施日までの日数だけに基づいて再受験すべきか一つ上のレベルの試験を飛び受験すべきかをナビゲートする場合にも同様に適用することができる。
【００８７】
また、本実施例では、検定受験ナビゲーション装置について説明したが、この検定受験ナビゲーション装置が有する構成をソフトウェアによって実現することで、同様の機能を有する検定受験ナビゲーションプログラムを得ることができる。そこで、この検定受験ナビゲーションプログラムを実行するコンピュータシステムについて説明する。
【００８８】
図２２は、本実施例に係る検定受験ナビゲーションプログラムを実行するコンピュータシステムを示す図である。同図に示すように、このコンピュータシステム２００は、本体部２０１と、本体部２０１からの指示により表示画面２０２ａに情報を表示するディスプレイ２０２と、このコンピュータシステム２００に種々の情報を入力するためのキーボード２０３と、ディスプレイ２０２の表示画面２０２ａ上の任意の位置を指定するマウス２０４と、ＬＡＮ２０６または広域エリアネットワーク（ＷＡＮ）に接続するＬＡＮインタフェースと、公衆回線２０７に接続するモデムとを有する。ここで、ＬＡＮ２０６は、他のコンピュータシステム（ＰＣ）２１１、サーバ２１２、プリンタ２１３などとコンピュータシステム２００とを接続している。
【００８９】
また、図２３は、図２２に示した本体部２０１の構成を示す機能ブロック図である。同図に示すように、この本体部２０１は、ＣＰＵ２２１と、ＲＡＭ２２２と、ＲＯＭ２２３と、ハードディスクドライブ（ＨＤＤ）２２４と、ＣＤ−ＲＯＭドライブ２２５と、ＦＤドライブ２２６と、Ｉ／Ｏインタフェース２２７と、ＬＡＮインタフェース２２８と、モデム２２９とを有する。
【００９０】
そして、このコンピュータシステム２００において実行される検定受験ナビゲーションプログラムは、フロッピィディスク（ＦＤ）２０８、ＣＤ−ＲＯＭ２０９、ＤＶＤディスク、光磁気ディスク、ＩＣカードなどの可搬型記憶媒体に記憶され、これらの記憶媒体から読み出されてコンピュータシステム２００にインストールされる。
【００９１】
あるいは、この検定受験ナビゲーションプログラムは、ＬＡＮインタフェース２２８を介して接続されたサーバ２１２のデータベース、他のコンピュータシステム（ＰＣ）２１１のデータベースなどに記憶され、これらのデータベースから読み出されてコンピュータシステム２００にインストールされる。
【００９２】
そして、インストールされた検定受験ナビゲーションプログラムは、ＨＤＤ２２４に記憶され、ＲＡＭ２２２、ＲＯＭ２２３などを利用してＣＰＵ２２１により実行される。
【００９３】
（付記１）検定試験を受験した受験者が合格したか否かの合否結果を含む受験結果を入力する受験結果入力手順と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、
前記受験結果入力手順により入力された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、
前記再受験判断手順により行われた判断の結果を表示する結果表示手順と、
をコンピュータに実行させることを特徴とする検定受験ナビゲーションプログラム。
【００９４】
（付記２）前記受験結果入力手順は、合否結果に加えて受験者の点数を受験結果として入力し、
前記合格実績読出手順は、当該検定試験の受験結果が発表された日から前記異なる検定試験の次の受験日までの期間と前記点数とを合格実績として記憶した記憶装置から読み出し、
前記再受験判断手順は、当該検定試験の受験結果が発表された日から前記異なる検定試験の次の受験日までの期間と前記点数とに基づいて前記判断を行うことを特徴とする付記１に記載の検定受験ナビゲーションプログラム。
【００９５】
（付記３）前記合格実績読出手順は、当該検定試験の受験結果が発表された日から前記異なる検定試験の次の受験日までの期間と前記点数との相関関係を合格実績として記憶した記憶装置から読み出し、
前記再受験判断手順は、前記相関関係に基づいて前記判断を行うことを特徴とする付記２に記載の検定受験ナビゲーションプログラム。
【００９６】
（付記４）前記合格実績読出手順は、前記相関関係を回帰直線として記憶した記憶装置から読み出し、
前記再受験判断手順は、前記回帰直線に基づいて前記判断を行うことを特徴とする付記３に記載の検定受験ナビゲーションプログラム。
【００９７】
（付記５）前記異なる検定試験は、当該検定試験よりレベルが一つだけ高い検定試験であることを特徴とする検定受験ナビゲーションプログラム。
【００９８】
（付記６）検定試験を受験した受験者が合格したか否かの合否結果を含む受験結果をネットワークを介して端末装置から受信する受験結果受信手順と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出手順と、
前記受験結果受信手順により受信された合否結果が不合格である場合に、不合格になった検定試験を受験者が再度受験すべきかあるいは前記異なる検定試験を受験すべきかの判断を受験者の受験結果と前記合格実績読出手順により読み出された合格実績とに基づいて行う再受験判断手順と、
前記再受験判断手順により行われた判断の結果を前記端末装置に送信する結果送信手順と、
をコンピュータに実行させることを特徴とする検定受験ナビゲーションプログラム。
【００９９】
（付記７）検定試験を受験した受験者が合格したか否かの合否結果を含む受験結果を入力する受験結果入力手段と、
前記検定試験の不合格後の次の試験として当該検定試験とは異なる検定試験を受験して合格した受験者による当該検定試験の受験結果を該異なる検定試験についての合格実績として記憶する合格実績記憶手段と、
前記受験結果入力手段により入力された合否結果が不合格である場合に、不合格になった検定試験を受験者が再度受験すべきかあるいは前記異なる検定試験を受験すべきかの判断を受験者の受験結果と前記合格実績記憶手段に記憶された合格実績とに基づいて行う再受験判断手段と、
前記再受験判断手段により行われた判断の結果を表示する結果表示手段と、
を備えたことを特徴とする検定受験ナビゲーション装置。
【０１００】
（付記８）検定試験を受験した受験者が合格したか否かの合否結果を含む受験結果をネットワークを介して端末装置から受信する受験結果受信手段と、
前記検定試験の不合格後の次の試験として当該検定試験とは異なる検定試験を受験して合格した受験者による当該検定試験の受験結果を該異なる検定試験についての合格実績として記憶する合格実績記憶手段と、
前記受験結果受信手段により受信された合否結果が不合格である場合に、不合格になった検定試験を受験者が再度受験すべきかあるいは前記異なる検定試験を受験すべきかの判断を受験者の受験結果と前記合格実績記憶手段に記憶された合格実績とに基づいて行う再受験判断手段と、
前記再受験判断手段により行われた判断の結果を前記端末装置に送信する結果送信手段と、
を備えたことを特徴とする検定受験ナビゲーション装置。
【０１０１】
（付記９）検定試験を受験した受験者が合格したか否かの合否結果を含む受験結果を入力する受験結果入力工程と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出工程と、
前記受験結果入力工程により入力された合否結果が不合格である場合に、不合格になった検定試験を受験者が再度受験すべきかあるいは前記異なる検定試験を受験すべきかの判断を受験者の受験結果と前記合格実績読出工程により読み出された合格実績とに基づいて行う再受験判断工程と、
前記再受験判断工程により行われた判断の結果を表示する結果表示工程と、
を含んだことを特徴とする検定受験ナビゲーション方法。
【０１０２】
（付記１０）検定試験を受験した受験者が合格したか否かの合否結果を含む受験結果をネットワークを介して端末装置から受信する受験結果受信工程と、
前記検定試験の不合格後の次の試験として当該検定試験とは異なる検定試験を受験して合格した受験者による当該検定試験の受験結果を該異なる検定試験についての合格実績として記憶する記憶装置から読み出す合格実績読出工程と、
前記受験結果受信工程により受信された合否結果が不合格である場合に、不合格になった検定試験を受験者が再度受験すべきかあるいは前記異なる検定試験を受験すべきかの判断を受験者の受験結果と前記合格実績読出工程により読み出された合格実績とに基づいて行う再受験判断工程と、
前記再受験判断工程により行われた判断の結果を前記端末装置に送信する結果送信工程と、
を含んだことを特徴とする検定受験ナビゲーション方法。
【産業上の利用可能性】
【０１０３】
以上のように、本発明に係る検定受験ナビゲーションプログラムおよび検定受験ナビゲーション装置は、検定試験の受験者の情報を管理するシステムに有用であり、特に、複数のレベルがある検定試験の受験者についての情報を管理するシステムに適している。
【図面の簡単な説明】
【０１０４】
【図１】本実施例に係る検定受験ナビゲーションシステムのシステム構成を説明するための説明図である。
【図２】検定マスタの一例を示す図である。
【図３】実施日マスタの一例を示す図である。
【図４】年次・クラスマスタの一例を示す図である。
【図５】学生マスタの一例を示す図である。
【図６】受験計画実績マスタの一例を示す図である。
【図７】受験計画設定部が教官端末に表示する受験計画設定画面の一例を示す図である。
【図８】受験実績入力部が教官端末に表示する受験実績入力画面の一例を示す図である。
【図９】飛び合格実績データの一例を示す図である。
【図１０】前回点数と日数の関係表および回帰直線の一例を示す図である。
【図１１】回帰直線の計算手法を説明するための説明図である。
【図１２】不合格者情報の一例を示す図である。
【図１３】回帰直線を用いた再受験または飛び受験の判断例を示す図である。
【図１４】学生用受験予定実績照会画面の一例を示す図である。
【図１５】保護者用受験予定実績照会画面の一例を示す図である。
【図１６】教官用受験予定実績照会画面の一例を示す図である。
【図１７】本実施例に係る受験計画設定処理の処理手順を示すフローチャートである。
【図１８】本実施例に係る受験実績入力処理の処理手順を示すフローチャートである。
【図１９】本実施例に係る学生照会処理の処理手順を示すフローチャートである。
【図２０】本実施例に係る保護者照会処理の処理手順を示すフローチャートである。
【図２１】本実施例に係る教官照会処理の処理手順を示すフローチャートである。
【図２２】本実施例に係る検定受験ナビゲーションプログラムを実行するコンピュータシステムを示す図である。
【図２３】図２２に示した本体部の構成を示す機能ブロック図である。
【符号の説明】
【０１０５】
１０    学生端末
２０    保護者端末
３０    教官端末
４０    インターネット
５０    ＬＡＮ
１００    検定受験ナビゲーション装置
１０１    検定マスタ
１０２    実施日マスタ
１０３    年次・クラスマスタ
１０４    学生マスタ
１０５    受験計画実績マスタ
１０６    受験計画設定部
１０７    受験実績入力部
１０８    再受験判断部
１０９    飛び合格処理部
１１０    飛び合格実績マスタ
１１１    入金情報入力部
１１２    学生照会処理部
１１３    保護者照会処理部
１１４    教官紹介処理部
２００，２１１    コンピュータシステム
２０１    本体部
２０２    ディスプレイ
２０２ａ    表示画面
２０３    キーボード
２０４    マウス
２０６    ＬＡＮ
２０７    公衆回線
２０８    フロッピィディスク
２０９    ＣＤ−ＲＯＭ
２１２    サーバ
２１３    プリンタ
２２１    ＣＰＵ
２２２    ＲＡＭ
２２３    ＲＯＭ
２２４    ハードディスクドライブ
２２５    ＣＤ−ＲＯＭドライブ
２２６    フロッピィディスクドライブ
２２７    Ｉ／Ｏインタフェース
２２８    ＬＡＮインタフェース
２２９    モデム
【図１】
2005316713.tif 000003
【図２】
2005316713.tif 000004
【図３】
2005316713.tif 000005
【図４】
2005316713.tif 000006
【図５】
2005316713.tif 000007
【図６】
2005316713.tif 000008
【図７】
2005316713.tif 000009
【図８】
2005316713.tif 000010
【図９】
2005316713.tif 000011
【図１０】
2005316713.tif 000012
【図１１】
2005316713.tif 000013
【図１２】
2005316713.tif 000014
【図１３】
2005316713.tif 000015
【図１４】
2005316713.tif 000016
【図１５】
2005316713.tif 000017
【図１６】
2005316713.tif 000018
【図１７】
2005316713.tif 000019
【図１８】
2005316713.tif 000020
【図１９】
2005316713.tif 000021
【図２０】
2005316713.tif 000022
【図２１】
2005316713.tif 000023
【図２２】
2005316713.tif 000024
【図２３】
2005316713.tif 000025